(57)【要約】【課題】使用者がガイドローラを載置するテープローディング部材をローディング位置からアンローディング位置への移行（または、アンローディング位置からローディング位置に移行）動作を繰り返し行なわなければならないという問題を有していた。【解決手段】磁気記録再生装置において、磁気ヘッドの目詰まりを検知するヘッド目詰まり検知部と前記ヘッド目詰まり検知部からの信号によりヘッドの目詰まりを表示するヘッド目詰まり表示部と、使用者が操作する操作部と前記操作部と一体に構成されたヘッドクリーニング部と操作防止部駆動手段によって、前記操作部を係止するための操作防止部とを備え、ヘッドクリーニング部は通常状態では、磁気ヘッドとは当接しておらず、ヘッド目詰まり検知部からの信号により、操作防止部は操作防止部駆動手段によって、操作部の係止及び係止の解除を行なう。【選択図】図１
2006209842.tif 000002
【特許請求の範囲】
【請求項１】
磁気ヘッドを備えた磁気記録再生装置に関するものであって、磁気ヘッドの目詰まりを検知するヘッド目詰まり検知部と前記ヘッド目詰まり検知部からの信号によりヘッドの目詰まりを表示するヘッド目詰まり表示部と、使用者が操作する操作部と、前記操作部と一体に構成されたヘッドクリーニング部材を備え、前記ヘッドクリーニング部材は通常状態では前記磁気ヘッドとは当接しておらず、使用者が前記操作部を操作した時のみ、前記ヘッドクリーニング部材は前記磁気ヘッドと当接することを特徴とした磁気記録再生装置。
【請求項２】
磁気ヘッドを備えた磁気記録再生装置に関するものであって、磁気ヘッドの目詰まりを検知する目詰まりを検知部と前記ヘッド目詰まり検知部からの信号によりヘッドの目詰まりを表示するヘッド目詰まり表示部と、使用者が操作する第1のスイッチと、前記第1のスイッチからの信号によりコントロールされる操作部と、前記操作部によって駆動されるヘッドクリーニング部材を備え、前記ヘッドクリーニング部材は通常状態では前記磁気ヘッドとは当接しておらず、使用者が前記第1のスイッチを操作した時のみ、前記ヘッドクリーニング部材は前記駆動部材によって駆動され前記磁気ヘッドと当接することを特徴とした磁気記録再生装置。
【請求項３】
使用者が操作する操作部と係合し、操作部の移動を係止する操作防止部と、前記操作防止部を駆動する操作防止部駆動手段を備えたことを特徴とする、請求項1及び請求項２記載の磁気記録再生装置。
【請求項４】
通常状態では操作部は操作防止部駆動手段によって、操作防止部に係止されており、
ヘッド目詰まり検知部からの信号により操作防止部が操作防止部駆動手段によって、駆動され、操作部の係止を解除することを特徴とする、請求項３記載の磁気記録再生装置。
【請求項５】
請求項１における、磁気ヘッドの目詰まりを検知するヘッド目詰まり検知部と前記ヘッド目詰まり検知部からの信号によりヘッドの目詰まりを表示するヘッド目詰まり表示部と、使用者が操作する操作部と、前記操作部と一体に構成されたヘッドクリーニング部材とからなるヘッドクリーニング装置。
【発明の詳細な説明】
【技術分野】
【０００１】
本発明は、ビデオテープレコーダ（以下ＶＴＲと称す）等の磁気記録再生装置におけるヘッドクリーニング装置に関するものである。
【背景技術】
【０００２】
以下に従来の磁気記録再生装置におけるヘッドクリーニング装置について説明する。
【０００３】
従来の磁気記録再生装置においては、回転シリンダーに搭載されている回転磁気ヘッドの表面に異物や汚れが付着すると、磁気テープへの正常な記録・再生が行われなくなる。そこで、磁気記録再生装置には回転磁気ヘッド表面の異物や汚れを清掃するためのヘッドクリーニング装置が搭載されている。この様なヘッドクリーニング装置として、従来では、例えば、特開平１−２８２７１６号公報  図１  記載のように、カセットに収納された磁気テープを引き出すためのテープガイドが、ローディングモータ等によって駆動されて移動し、それに伴って、ヘッドクリーニング部材を取り付けた支持アームが回動し、前記ヘッドクリーニング部材を回転磁気ヘッドに一時的に接触させて、回転磁気ヘッドのクリーニングを行なうものがあった。
【０００４】
しかし、上記の従来例のヘッドクリーニング装置においては、ヘッドクリーニング部材を回転磁気ヘッドに接触させて、回転磁気ヘッドのクリーニングを行なうためには、カセットに収納された磁気テープを引き出すためのテープガイドが、ローディングモータ等によって、回転シリンダーに搭載されている回転磁気ヘッドが磁気テープに記録再生を行なう位置（以下ローディング位置と称す）に移行させなければならいない。または、カセットに収納された磁気テープを引き出し始める位置（以下アンローディング位置と称す）に移行させなければならなかった。また、すなわち、回転磁気ヘッドの清掃を行なうためには、ガイドローラを載置するテープローディング部材をローディング位置からアンローディング位置に移行する。または、アンローディング位置からローディング位置に移行しなければならなかった。しかも、この動作（ガイドローラを載置するテープローディング部材をローディング位置からアンローディング位置に移行する動作。または、アンローディング位置からローディング位置に移行する動作）は回転磁気ヘッド表面の異物や汚れ状態とは無関係に行なわれる。また、ヘッドクリーニング部材を回転磁気ヘッドに当接させる期間もごくわずかであり、回転磁気ヘッド表面の異物や汚れ状態によっては、ガイドローラを載置するテープローディング部材をローディング位置からアンローディング位置への移行動作を繰り返し行なわなければならないという問題を有していた。
【特許文献１】特開平１−２８２７１６号公報
【発明の開示】
【発明が解決しようとする課題】
【０００５】
しかしながら上記の従来の構成では、回転磁気ヘッド表面の異物や汚れが付着することにより磁気ヘッド部に目詰まりが発生し、磁気テープへの正常な記録・再生が行われなる。それを改善させ、磁気テープへの正常な記録・再生を行なうには、使用者がガイドローラを載置するテープローディング部材をローディング位置からアンローディング位置への移行（または、アンローディング位置からローディング位置に移行）動作を繰り返し行なわなければならないという問題を有していた。
【０００６】
本発明は上記従来の問題点を解決するもので、回転磁気ヘッドの目詰まりを検知する、ヘッド目詰まり検知部からの信号により、ヘッド目詰まり表示が行なわれかつ、操作部と係合し、操作部の移動を係止する操作防止部が操作防止部駆動手段によって駆動され、操作部の係止が解除されると、操作部を操作することが可能になり、使用者が意図した時、確実に、操作部と一体に構成されたヘッドクリーニング部材を回転磁気ヘッドに当接させ、回転磁気ヘッドの清掃を容易に行なうことができる。また操作防止部を設けることにより、使用者がヘッドクリーニングを行ない過ぎ、磁気ヘッドが過分に磨耗することを防ぐとことができる磁気記録再生装置におけるヘッドクリーニング装置を提供することを目的とする。
【課題を解決するための手段】
【０００７】
この目的を達成するために、本発明の磁気ヘッドを備えた磁気記録再生装置に関するものであって、磁気ヘッドの目詰まりを検知するヘッド目詰まり検知部と前記ヘッド目詰まり検知部からの信号によりヘッドの目詰まりを表示するヘッド目詰まり表示部と、使用者が操作する操作部と、前記操作部と一体に構成されたヘッドクリーニング部材を備え、前記ヘッドクリーニング部材は通常状態では前記磁気ヘッドとは当接しておらず、使用者が前記操作部を操作した時のみ、前記ヘッドクリーニング部材は前記磁気ヘッドと当接する構成を有している。
【０００８】
この構成によって、回転磁気ヘッドの目詰まりを検知する、ヘッド目詰まり検知部からの信号により、ヘッド目詰まり表示が行なわれかつ、操作部と係合し、操作部の移動を係止する操作防止部が操作防止部駆動手段によって駆動され、操作部の係止が解除されると、操作部を操作することが可能になり、使用者が意図した時、確実に、操作部と一体に構成されたヘッドクリーニング部材を回転磁気ヘッドに当接させ、回転磁気ヘッドの清掃を容易に行なうことができる磁気記録再生装置におけるヘッドクリーニング装置を提供ができると言う目的が得られる。
【発明の効果】
【０００９】
以上の様に本発明は、磁気記録再生装置におけるヘッドクリーニング装置において、回転磁気ヘッドの目詰まりを検知する、ヘッド目詰まり検知部からの信号により、ヘッド目詰まり表示が行なわれかつ、操作部と係合し、操作部の移動を係止する操作防止部が操作防止部駆動手段によって駆動され、操作部の係止が解除されると、操作部を操作することが可能になり、使用者が意図した時、確実に、操作部と一体に構成されたヘッドクリーニング部材を回転磁気ヘッドに当接させ、回転磁気ヘッドの清掃を容易に行なうことができる。また操作防止部を設けることにより、使用者がヘッドクリーニングを行ない過ぎ、磁気ヘッドが過分に磨耗することを防ぐとことができる磁気記録再生装置におけるヘッドクリーニング装置を提供しうるという優れた作用を有する。
【発明を実施するための最良の形態】
【００１０】
本発明の請求項１に記載の発明は、磁気記録再生装置におけるヘッドクリーニング装置において、磁気ヘッドの目詰まりを検知するヘッド目詰まり検知部と前記ヘッド目詰まり検知部からの信号によりヘッドの目詰まりを表示するヘッド目詰まり表示部と、使用者が操作する操作部と、前記操作部と一体に構成されたヘッドクリーニング部材を備え、前記ヘッドクリーニング部材は通常状態では前記磁気ヘッドとは当接しておらず、使用者が前記操作部を操作した時のみ、前記ヘッドクリーニング部材は前記磁気ヘッドと当接することを特徴としたものであり、回転磁気ヘッドの目詰まりを検知する、ヘッド目詰まり検知部からの信号により、ヘッド目詰まり表示が行なわれかつ、操作部と係合し、操作部の移動を係止する操作防止部が操作防止部駆動手段によって駆動され、操作部の係止が解除されると、操作部を操作することが可能になり、使用者が意図した時、確実に、操作部と一体に構成されたヘッドクリーニング部材を回転磁気ヘッドに当接させ、回転磁気ヘッドの清掃を容易に行なうことができる磁気記録再生装置におけるヘッドクリーニング装置を提供するこができるという作用を有する。
【００１１】
請求項２に記載の発明は磁気ヘッドを備えた磁気記録再生装置に関するものであって、磁気ヘッドの目詰まりを検知する目詰まりを検知部と前記ヘッド目詰まり検知部からの信号によりヘッドの目詰まりを表示するヘッド目詰まり表示部と、使用者が操作する第1のスイッチと、前記第1のスイッチからの信号によりコントロールされる操作部と、前記操作部によって駆動されるヘッドクリーニング部材を備え、前記ヘッドクリーニング部材は通常状態では前記磁気ヘッドとは当接しておらず、使用者が前記第1のスイッチを操作した時のみ、前記ヘッドクリーニング部材は前記駆動部材によって駆動され前記磁気ヘッドと当接することを特徴としたものであり、回転磁気ヘッドの目詰まりを検知する、ヘッド目詰まり検知部からの信号により、ヘッド目詰まり表示が行なわれかつ、操作部と係合し、操作部の移動を係止する操作防止部が操作防止部駆動手段によって駆動され、操作部の係止が解除されると、操作部を操作することが可能になり、使用者が意図した時、確実に、操作部と一体に構成されたヘッドクリーニング部材を回転磁気ヘッドに当接させ、回転磁気ヘッドの清掃を容易に行なうことができる磁気記録再生装置におけるヘッドクリーニング装置を提供するこができるという作用を有する。
【００１２】
請求項３に記載の発明は操作防止部を設けることにより、使用者が操作する操作部と係合し、操作部の移動を係止する操作防止部と、前記操作防止部を駆動する操作防止部駆動手段を備えたことを特徴としたものであり、使用者がヘッドクリーニングを行ない過ぎ、磁気ヘッドが過分に磨耗することを防ぐとことができる磁気記録再生装置におけるヘッドクリーニング装置を提供するこができるという作用を有する。
【００１３】
請求項４に記載の発明は通常状態では操作部は操作防止部駆動手段によって、操作防止部に係止されており、ヘッド目詰まり検知部からの信号により操作防止部が操作防止部駆動手段によって、駆動され、操作部の係止を解除することを特徴としたものであり、使用者がヘッドクリーニングを行ない過ぎ、磁気ヘッドが過分に磨耗することを防ぐとことができる磁気記録再生装置におけるヘッドクリーニング装置を提供するこができるという作用を有する。
【００１４】
以下、本発明の実施の形態について、図１から図４を用いて説明する。
【００１５】
（実施の形態１）
図１は本発明の実施の形態１におけるヘッドクリーニング装置の概略構成を示す平面図である。また、図２は本発明の実施の形態１におけるヘッドクリーニング装置のＢ矢視図である。図１は、テープ走行系の一部を成す、各テープガイドポスト（８）（９）（１０）（１４）がカセット（１）より磁気テープ（２）を引き出し、磁気ヘッド（３）を備えた回転シリンダー（４）への巻回が完了して、磁気テープ（２）への記録・再生が行なえる状態を示す。図１において、（１）はカセットで磁気テープ（２）はカセット（１）に収納されているＳリール（５）とＴリール（６）に巻かれている。（７）はＳ３ポスト、（１１）はＴ２ポストでそれぞれ基盤（図示せず）に固定され、磁気テープ（２）をガイドするものであり、それぞれテープ走行系の一部を成す。（１２）はキャプスタン軸、（１３）はピンチローラで、キャプスタン軸（１２）とピンチローラ（１３）に挟まれた磁気テープ（２）は、キャプスタン軸（１２）の正逆回転により正逆方向に駆動される。ヘッドクリーニング部材（１５）は、操作部（１７）の一端に設けられたローラ軸（１６）と回転自在に係合されている。（２１）磁気記録再生装置の本体であり、磁気記録再生装置の本体（２１）には磁気ヘッドの目詰まりを検知するヘッド目詰まり検知部（図示せず）とヘッド目詰まり検知部からの信号によりヘッドの目詰まりを表示するヘッド目詰まり表示部（図示せず）とを備えている。
操作部（１７）の他端は磁気記録再生装置の本体（２１）に設けられた穴部（２３）から突出しており、使用者により矢印Ｄ方向に操作可能な状態になっている。（２０）は付勢バネで、付勢バネ（２０）の一端は操作部（１７）の一部に設けられたフックａ（１８）と係合し、また付勢バネ（２０）の他端は磁気記録再生装置の本体（２１）の一部に設けられてフックｂ（２２）に係合し、操作部（１７）を矢印Ａ方向に付勢している。（１９）は操作部（１７）の一部に設けられた位置規制ストッパであり、操作部（１７）の位置を規制している。通常状態では操作部（１７）は操作防止部駆動手段（図示せず）によって、操作防止部（２４）に係止されており、ヘッド目詰まり検知部（図示せず）からの信号により操作防止部（２４）が操作防止部駆動手段（図示せず）によって、駆動され、操作部（１７）の係止を解除する構成になっている。
図２において、（２５）は磁気ヘッド（３）の回転軌跡（二点鎖線部）であり、回転軌跡（２５）に当接する位置関係にヘッドクリーニング部材（１５）を配置している。
【００１６】
以上のように構成されたヘッドクリーニング装置について、第３，４図を用いてその動作を説明する。
【００１７】
まず、図３は、図１のヘッドクリーニング装置のＣ部拡大図かつ、操作防止部による操作部の係止状態図（ヘッドクリーニング開始前の状態）である。
【００１８】
この状態で、使用者により矢印Ｄ方向に操作力が加った場合、操作防止部（２４）により操作部（１７）が係止されているため、ヘッドクリーニング部材（１５）によるヘッドクリーニングは実施できない状態にある。
【００１９】
図３の状態にてヘッド目詰まり検知部（図示せず）が磁気ヘッド（３）の目詰まりを検知すると、ヘッド目詰まり検知部（図示せず）からの信号により操作防止部（２４）が操作防止部駆動手段（図示せず）によって、駆動され、操作部（１７）の係止を解除することにより、使用者が矢印Ｄ方向に操作力を加え、ヘッドクリーニング部材（１５）によるヘッドクリーニングを実施することができる状態になる。この状態を図４に示す。
【００２０】
図３は、磁気テープ（２）を引き出し、磁気ヘッド（３）を備えた回転シリンダー（４）への巻回が完了して、磁気テープ（２）への記録・再生が行なえる状態であり、磁気テープ（２）はキャプスタン軸（１２）とピンチローラ（１３）に挟まれ、キャプスタン軸（１２）の正逆回転により正逆方向に駆動されている。操作部（１７）の一端に設けられたアーム軸（１６）と回転自在に係合されているクリーニング部材（１５）は、操作部（１７）の一部に設けられたフックａ（１８）と係合した付勢バネ（２０）によって矢印Ａ方向に付勢されているので、クリーニング部材（１５）は磁気ヘッド（３）を備えた回転シリンダー（４）に当接しない位置に待機している。また、ヘッド目詰まり検知部（図示せず）が磁気ヘッド（３）の目詰まりを検知していないため、操作部（１７）は操作防止部（２４）によって係止されており、使用者が矢印Ｄ方向に操作力を加えて、ヘッドクリーニング部材（１５）によるヘッドクリーニングを実施することができない状態になっている。
【００２１】
次に図４において、ヘッド目詰まり検知部（図示せず）が磁気ヘッド（３）の目詰まりを検知すると、ヘッド目詰まり検知部（図示せず）からの信号により操作防止部（２４）が操作防止部駆動手段（図示せず）によって、矢印Ｅ方向駆動され、操作部（１７）の係止を解除する。それにより、使用者が磁気記録再生装置の本体（２１）に設けられた穴部（２３）から突出している操作部（１７）を矢印Ｄ方向に操作することが可能になり、操作部（１７）の一端に設けられたアーム軸（１６）と回転自在に係合されたクリーニング部材（１５）が、磁気ヘッド（３）を備えた回転シリンダー（４）に当接し、磁気ヘッド表面の異物や汚れを清掃する。すなわち、ヘッドクリーニング実施状態となる。
【００２２】
次に、使用者が任意で操作部（１７）を矢印Ｄ方向への操作を終了すると、操作部（１７）は付勢バネ（２０）によって矢印Ａ方向に移動し、クリーニング部材（１５）が、磁気ヘッド（３）を備えた回転シリンダー（４）から離れクリーニングを終了する。また、ヘッド目詰まり検知部（図示せず）が磁気ヘッド（３）の目詰まり検知を終了すると、ヘッド目詰まり検知部（図示せず）からの信号により操作防止部（２４）が操作防止部駆動手段（図示せず）によって、矢印Ｅ方向とは逆の方向に駆動され、操作部（１７）の係止を再び行なう。すなわち、使用者が矢印Ｄ方向に操作力を加えて、ヘッドクリーニング部材（１５）によるヘッドクリーニングを実施することができない状態に戻ることになる。
【００２３】
以上の様に本実施の形態１によれば、磁気ヘッドの目詰まりを検知するヘッド目詰まり検知部と、前記ヘッド目詰まり検知部からの信号によりヘッドの目詰まりを表示するヘッド目詰まり表示部と、使用者が操作する操作部と、前記操作部と一体に構成されたヘッドクリーニング部材を備え、前記ヘッドクリーニング部材は通常状態では前記磁気ヘッドとは当接しておらず、使用者が前記操作部を操作した時のみ、前記ヘッドクリーニング部材は前記磁気ヘッドと当接する構成を有しまた、使用者が操作する操作部と係合し、操作部の移動を係止する操作防止部と、前記操作防止部を駆動する操作防止部駆動手段を備えまた、通常状態では操作部は操作防止部駆動手段によって、操作防止部に係止されており、
ヘッド目詰まり検知部からの信号により操作防止部が操作防止部駆動手段によって、駆動され、操作部の係止を解除する構成を有している。
この構成によって、回転磁気ヘッドの目詰まりを検知する、ヘッド目詰まり検知部からの信号により、ヘッド目詰まり表示が行なわれかつ、操作部と係合し、操作部の移動を係止する操作防止部が操作防止部駆動手段によって駆動され、操作部の係止が解除されると、操作部を操作することが可能になり、使用者が意図した時、確実に、操作部と一体に構成されたヘッドクリーニング部材を回転磁気ヘッドに当接させ、回転磁気ヘッドの清掃を容易に行なうことができる。また操作防止部を設けることにより、使用者がヘッドクリーニングを行ない過ぎ、磁気ヘッドが過分に磨耗することを防ぐとことができる磁気記録再生装置におけるヘッドクリーニング装置を提供することができると言う目的が得られる。
【００２４】
（実施の形態２）
図１は本発明の実施の形態１におけるヘッドクリーニング装置の概略構成を示す平面図である。また、図２は本発明の実施の形態１におけるヘッドクリーニング装置のＢ矢視図である。図１は、テープ走行系の一部を成す、各テープガイドポスト（８）（９）（１０）（１４）がカセット（１）より磁気テープ（２）を引き出し、磁気ヘッド（３）を備えた回転シリンダー（４）への巻回が完了して、磁気テープ（２）への記録・再生が行なえる状態を示す。図１において、（１）はカセットで磁気テープ（２）はカセット（１）に収納されているＳリール（５）とＴリール（６）に巻かれている。（７）はＳ３ポスト、（１１）はＴ２ポストでそれぞれ基盤（図示せず）に固定され、磁気テープ（２）をガイドするものであり、それぞれテープ走行系の一部を成す。（１２）はキャプスタン軸、（１３）はピンチローラで、キャプスタン軸（１２）とピンチローラ（１３）に挟まれた磁気テープ（２）は、キャプスタン軸（１２）の正逆回転により正逆方向に駆動される。ヘッドクリーニング部材（１５）は、操作部（１７）の一端に設けられたローラ軸（１６）と回転自在に係合されている。（２１）磁気記録再生装置の本体であり、磁気記録再生装置の本体（２１）には磁気ヘッドの目詰まりを検知するヘッド目詰まり検知部（図示せず）とヘッド目詰まり検知部からの信号によりヘッドの目詰まりを表示するヘッド目詰まり表示部（図示せず）とを備えている。
【００２５】
操作部（１７）はその一部を磁気記録再生装置の本体（２１）に設けられた穴部（２３）から突出させており、使用者の操作する第１のスイッチ（図示せず）からの信号により矢印Ｄ方向及びその逆方向にコントロールされる状態になっている。（２０）は付勢バネで、付勢バネ（２０）の一端は操作部（１７）の一部に設けられたフックａ（１８）と係合し、また付勢バネ（２０）の他端は磁気記録再生装置の本体（２１）の一部に設けられてフックｂ（２２）に係合し、操作部（１７）を矢印Ａ方向に付勢している。（１９）は操作部（１７）の一部に設けられた位置規制ストッパであり、操作部（１７）の位置を規制している。通常状態では操作部（１７）は操作防止部駆動手段（図示せず）によって、操作防止部（２４）に係止されており、ヘッド目詰まり検知部（図示せず）からの信号により操作防止部（２４）が操作防止部駆動手段（図示せず）によって、駆動され、操作部（１７）の係止を解除する構成になっている。
【００２６】
図２において、（２５）は磁気ヘッド（３）の回転軌跡（二点鎖線部）であり、回転軌跡（２５）に当接する位置関係にヘッドクリーニング部材（１５）を配置している。
【００２７】
以上の様に構成されたヘッドクリーニング装置について、第３，４図を用いてその動作を説明する。
【００２８】
まず、図３は、図１のヘッドクリーニング装置のＣ部拡大図かつ、操作防止部による操作部の係止状態図（ヘッドクリーニング開始前の状態）である。
【００２９】
この状態で、使用者が操作する第１のスイッチ（図示せず）の信号により矢印Ｄ方向にコントロールされた時、操作防止部により操作部が係止されているため、ヘッドクリーニング部材によるヘッドクリーニングは実施できない状態にある。
【００３０】
図４は、図１のヘッドクリーニング装置のＣ部拡大図かつ、操作防止部による
操作部の係止解除状態図（ヘッドクリーニング実施状態）である。
【００３１】
図３は、磁気テープ（２）を引き出し、磁気ヘッド（３）を備えた回転シリンダー（４）への巻回が完了して、磁気テープ（２）への記録・再生が行なえる状態であり、磁気テープ（２）はキャプスタン軸（１２）とピンチローラ（１３）に挟まれ、キャプスタン軸（１２）の正逆回転により正逆方向に駆動されている。操作部（１７）の一端に設けられたアーム軸（１６）と回転自在に係合されているクリーニング部材（１５）は、操作部（１７）の一部に設けられたフックａ（１８）と係合した付勢バネ（２０）によって矢印Ａ方向に付勢されているので、クリーニング部材（１５）は磁気ヘッド（３）を備えた回転シリンダー（４）に当接しない位置に待機している。また、ヘッド目詰まり検知部（図示せず）が磁気ヘッド（３）の目詰まりを検知していないため、操作部（１７）は操作防止部（２４）によって係止されているため、使用者が操作する第１のスイッチ（図示せず）の信号により操作部（１７）を矢印Ｄ方向にコントロール出来ないため、ヘッドクリーニング部材（１５）によるヘッドクリーニングを実施することができない。
【００３２】
次に図４において、ヘッド目詰まり検知部（図示せず）が磁気ヘッド（３）の目詰まりを検知すると、ヘッド目詰まり検知部（図示せず）からの信号により操作防止部（２４）が操作防止部駆動手段（図示せず）によって駆動され、操作部（１７）の係止を解除する。それにより、使用者が操作する第１のスイッチ（図示せず）の信号により操作部（１７）がコントロール可能になり、磁気記録再生装置の本体（２１）に設けられた穴部（２３）から突出している操作部（１７）を矢印Ｄ方向に移動し、操作部（１７）の一端に設けられたアーム軸（１６）と回転自在に係合されたクリーニング部材（１５）が、磁気ヘッド（３）を備えた回転シリンダー（４）に当接し、磁気ヘッド表面の異物や汚れを清掃する。すなわち、ヘッドクリーニング実施状態となる。
【００３３】
次に、使用者が操作する第１のスイッチ（図示せず）の信号により操作部（１７）を矢印Ｄ方向への操作を終了すると、操作部（１７）は付勢バネ（２０）によって矢印Ａ方向に移動し、クリーニング部材（１５）が、磁気ヘッド（３）を備えた回転シリンダー（４）から離れクリーニングを終了する。また、ヘッド目詰まり検知部（図示せず）が磁気ヘッド（３）の目詰まり検知を終了すると、ヘッド目詰まり検知部（図示せず）からの信号により操作防止部（２４）が操作防止部駆動手段（図示せず）によって、矢印Ｅ方向とは逆の方向に駆動され、操作部（１７）の係止を再び行なう。すなわち、使用者が矢印Ｄ方向に操作力を加えて、ヘッドクリーニング部材（１５）によるヘッドクリーニングを実施することができない状態に戻ることになる。
【００３４】
以上の様に本実施の形態２によれば、磁気ヘッドの目詰まりを検知する目詰まりを検知部と前記ヘッド目詰まり検知部からの信号によりヘッドの目詰まりを表示するヘッド目詰まり表示部と、使用者が操作する第1のスイッチと、前記第1のスイッチからの信号によりコントロールされる操作部と、前記操作部によって駆動されるヘッドクリーニング部材を備え、前記ヘッドクリーニング部材は通常状態では前記磁気ヘッドとは当接しておらず、使用者が前記第1のスイッチを操作した時のみ、前記ヘッドクリーニング部材は前記駆動部材によって駆動され前記磁気ヘッドと当接する構成を有しまた、使用者が操作する操作部と係合し、操作部の移動を係止する操作防止部と、前記操作防止部を駆動する操作防止部駆動手段を備えまた、通常状態では操作部は操作防止部駆動手段によって、操作防止部に係止されており、ヘッド目詰まり検知部からの信号により操作防止部が操作防止部駆動手段によって、駆動され、操作部の係止を解除する構成を有している。
【００３５】
この構成によって、回転磁気ヘッドの目詰まりを検知する、ヘッド目詰まり検知部からの信号により、ヘッド目詰まり表示が行なわれかつ、操作部と係合し、操作部の移動を係止する操作防止部が操作防止部駆動手段によって駆動され、操作部の係止が解除されると、操作部を操作することが可能になり、使用者が意図した時、確実に、操作部と一体に構成されたヘッドクリーニング部材を回転磁気ヘッドに当接させ、回転磁気ヘッドの清掃を容易に行なうことができる。また操作防止部を設けることにより、使用者がヘッドクリーニングを行ない過ぎ、磁気ヘッドが過分に磨耗することを防ぐとことができる磁気記録再生装置におけるヘッドクリーニング装置を提供することができると言う目的が得られる。
【産業上の利用可能性】
【００３６】
本発明は、磁気ヘッドをクリーニング可能な装置に利用して有効なものであり、ビデオテープレコーダーやビデオカメラなどが代表的な応用例である。
【図面の簡単な説明】
【００３７】
【図１】本発明の実施の形態１、２におけるヘッドクリーニング装置の概略構成を示す平面図
【図２】本発明の実施の形態１、２におけるヘッドクリーニング装置のＢ矢視図
【図３】図１のヘッドクリーニング装置のＣ部拡大図、かつ、操作防止部による操作部の係止状態を示す平面図
【図４】図１のヘッドクリーニング装置のＣ部拡大図、かつ、操作防止部による操作部の係止解除状態を示す平面図
【符号の説明】
【００３８】
１    カセット
２    磁気テープ
３    磁気ヘッド
４    回転シリンダー
１５    クリーニング部材
１７    操作部
２０    付勢バネ
２１    磁気記録再生装置の本体
２４    操作防止部
【図１】
2006209842.tif 000003
【図２】
2006209842.tif 000004
【図３】
2006209842.tif 000005
【図４】
2006209842.tif 000006